(57)【特許請求の範囲】
【請求項１】
交換式の吸収性パッドを着脱自在としたパンツ型使い捨ておむつカバーにおいて、
前記パンツ型使い捨ておむつカバーは、２枚の不織布シートの間に弾性伸縮部材が配置され、おむつ股下部で折り畳まれ前身頃と後身頃とが両側部において接合されることにより、ウエスト開口部及び左右一対のレッグ開口部が形成された構造とされ、
前記パンツ型使い捨ておむつカバーの内面側において、前記吸収性パッドの装着部位に対応するおむつカバー領域に対して、前端部が前身頃に固定されるとともに、後端部が後身頃に固定され、前身頃から後身頃にかけて股下部を横断するように織物、不織布又はプラスチックフィルムからなるパッド固定用シートを配設し、
前記パンツ型使い捨ておむつカバーに配置される弾性伸縮部材として、少なくとも前記ウエスト開口部回りに配置されたウエスト部弾性伸縮部材と、前身頃及び後身頃に上下方向に間隔をおいて水平方向に沿って配置された複数の腰回り弾性伸縮部材と、前身頃及び後身頃において脇部から股下側に延び、股下側で前記パッド固定用シートの配設部位を横断した後、股下側から脇部に延びる軌跡を描いて配設された複数の湾曲弾性伸縮部材とを備え、
前記パッド固定用シートの前端部が前記前身頃の腰回り弾性伸縮部材の配設領域内に固定され、かつ前記パッド固定用シートの後端部が前記後身頃の腰回り弾性伸縮部材の配設領域内に固定されていることを特徴とするパンツ型使い捨ておむつカバー。
【請求項２】
前記吸収性パッドは前記パッド固定用シートに対して、吸収性パッドの裏面に塗工された粘着剤、又は前記吸収性パッド及びパッド固定用シートに夫々設けられた面ファスナーによって接合される請求項１記載のパンツ型使い捨ておむつカバー。
【請求項３】
前記湾曲弾性伸縮部材は、互いに交差することなく間隔をおいて配置されている請求項１〜２いずれかに記載のパンツ型使い捨ておむつカバー。
【請求項４】
前記前身頃及び後身頃に配置された湾曲弾性伸縮部材は、股下側の横断部において、横断方向に沿って略直線状に、又は股下側に膨出する弧状曲線状に横断している請求項１〜３いずれかに記載のパンツ型使い捨ておむつカバー。
【請求項５】
前記後身頃に配置された湾曲弾性伸縮部材は、股下側の横断部において、ウエスト開口部側に方向を反曲した後、略幅方向中央でウエスト開口部側に凸状となる軌跡を描いた後、再度反曲し、全体として略Ｗ字形状の軌跡で横断している請求項１〜４いずれかに記載のパンツ型使い捨ておむつカバー。
【請求項６】
前記湾曲弾性伸縮部材の始終端は、前身頃と後身頃とを接合する接合縁、ウエスト開口縁及びレッグ開口縁の内のいずれか又は組合せとされる請求項１〜５いずれかに記載のパンツ型使い捨ておむつカバー。
【発明の詳細な説明】
【技術分野】
【０００１】
本発明は、交換式の吸収性パッドを着脱自在としたパンツ型使い捨ておむつカバーに関する。
【背景技術】
【０００２】
従来より、使い捨ておむつとしては、吸収体を一体的に備え、１又は複数回の体液吸収の後、廃棄されるテープ式又はパンツ式紙おむつと、交換式の吸収性パッドを着脱自在とした、所謂おむつカバータイプと呼ばれるものとが存在する。後者のおむつカバータイプは、廉価な吸収性パッドを交換使用することで、おむつコストを低減できるなどの利点を有する。
【０００３】
前記おむつカバーは、一般的には、吸収性パッドの裏面側に着用中に位置がずれないようにおむつカバーに固定するための雄ファスナーが取り付けられ、一方、おむつカバーの内面には、前記吸収性パッドを固定するための雌ファスナーが取り付けられ、吸収性パッドの面ファスナーとショーツ側の面ファスナーとを対向させて係合することによって、吸収性パッドをおむつカバーに固定して着用している。
【０００４】
また、近年はおむつカバーにも装着性の向上を図ったものが種々提案されている。例えば、下記特許文献１では、雄部材を有する面ファスナーが貼付された吸収性パッドを併用して着用するとともに、少なくとも上下方向に伸縮性を有し、前方および／又は後方の内面に吸収性パッドの雄部材が係合されない平滑な領域が形成されているショーツ（おむつカバー）が提案されている。
【０００５】
また、下記特許文献２では、人体の股間及び股間を間にしてその前後に位置する下腹部と臀部を覆うように装着され、失禁による排泄物を受け止めるためのおむつにおいて、上記おむつは、失禁による排泄物を受け止めるための吸水体を備え、人体の股間及び股間の前後に位置する下腹部と臀部に対して過不足なく密着することができる形状と、失禁による尿を主とする排泄物の平均的な量を吸水することができる吸水能力を有する吸水パッドと、上記吸水パッドとは別体であって、上記吸水パッドを吸水パッド全体及びその周囲の人体を包み込むようにして保持するホルダー（おむつカバー）より成り、上記吸水パッドは、人体の股間に対応した幅を有する股間当接部と、人体の股間の前方に位置する下腹部に対応した幅広の前方当接部と、人体の股間の後方に位置する臀部に対応した幅広の後方当接部を備えて成り、さらに、上記ホルダーは、立体的に伸縮可能な素材によって形成され、吸水パッド全体及びその周囲の人体を包み込む本体と、人体の股間の下方に位置する股間部分と、人体の脚を通すための脚通し部を有して成るおむつが提案されている。
【特許文献１】特開２００３−２４３８５号公報
【特許文献２】特開２００１−２９３７５号公報
【発明の開示】
【発明が解決しようとする課題】
【０００６】
しかしながら、先ず、従来より提供されているおむつカバーの多くは、上記特許文献１、２にも記載されるように、綿、ナイロン、ポリウレタン、ホリノジックなどの単独あるいは混紡、編物素材あるいは織物素材等が使用されているため、製品コストが高いなどの問題がある。
【０００７】
また、吸収性パッドの装着操作性が悪いとともに、位置ズレに対しては面ファスナー等の機械的接合手段に頼るのみで、位置ズレを完全に防止できていない。更には、穿き直しやトイレなどでおむつカバーを降ろした際に、吸収性パッドとおむつカバーとの伸びが合わず、吸収性パッドの止めている面ファスナーの係合が外れてしまうことがあるなどの問題があった。
【０００８】
そこで本発明の主たる課題は、製品コストが廉価で済むとともに、吸収性パッドを装着し易く、かつ装着された吸収性パッドを位置ズレさせることなくきっちりと保持でき、さらにおむつカバーの穿き直しやトイレでの用足しの際に、吸収性パッドの係合が外れるのを防止したパンツ型使い捨てオムツカバーを提供することにある。
【課題を解決するための手段】
【０００９】
前記課題を解決するために請求項１に係る本発明として、交換式の吸収性パッドを着脱自在としたパンツ型使い捨ておむつカバーにおいて、
前記パンツ型使い捨ておむつカバーは、２枚の不織布シートの間に弾性伸縮部材が配置され、おむつ股下部で折り畳まれ前身頃と後身頃とが両側部において接合されることにより、ウエスト開口部及び左右一対のレッグ開口部が形成された構造とされ、
前記パンツ型使い捨ておむつカバーの内面側において、前記吸収性パッドの装着部位に対応するおむつカバー領域に対して、前端部が前身頃に固定されるとともに、後端部が後身頃に固定され、前身頃から後身頃にかけて股下部を横断するように織物、不織布又はプラスチックフィルムからなるパッド固定用シートを配設し、
前記パンツ型使い捨ておむつカバーに配置される弾性伸縮部材として、少なくとも前記ウエスト開口部回りに配置されたウエスト部弾性伸縮部材と、前身頃及び後身頃に上下方向に間隔をおいて水平方向に沿って配置された複数の腰回り弾性伸縮部材と、前身頃及び後身頃において脇部から股下側に延び、股下側で前記パッド固定用シートの配設部位を横断した後、股下側から脇部に延びる軌跡を描いて配設された複数の湾曲弾性伸縮部材とを備え、
前記パッド固定用シートの前端部が前記前身頃の腰回り弾性伸縮部材の配設領域内に固定され、かつ前記パッド固定用シートの後端部が前記後身頃の腰回り弾性伸縮部材の配設領域内に固定されていることを特徴とするパンツ型使い捨ておむつカバーが提供される。
【００１０】
上記請求項１記載の本発明においては、おむつカバー自体を２枚の不織布シートの間に弾性伸縮部材が配置されたシート材料によって構成するため、製作コストが廉価で済むようになる。また、前記パンツ型使い捨ておむつカバーの内面側において、前記吸収性パッドの装着部位に対応するおむつカバー領域に対して、前端部が前身頃に固定されるとともに、後端部が後身頃に固定され、前身頃から後身頃にかけて股下部を横断するように織物、不織布又はプラスチックフィルムからなるパッド固定用シートを配設するようにしたため、後述するように、吸収性パッドの装着性、吸収性パッドの装着感、密着度、追従性などを改善できるとともに、穿き直し、用足しの際に吸収性パッドの係合が外れるのを防止できるようになる。
【００１１】
さらに、前記おむつカバーに配置される弾性伸縮部材は、少なくとも前記ウエスト開口部回りに配置されたウエスト部弾性伸縮部材と、前身頃及び後身頃に上下方向に間隔をおいて水平方向に沿って配置された複数の腰回り弾性伸縮部材と、前身頃及び後身頃において脇部から股下側に延び、股下側で前記パッド固定用シートの配設部位を横断した後、股下側から脇部に延びる軌跡を描いて配設された複数の湾曲弾性伸縮部材とを備える構造とし、前記パッド固定用シートの前端部が前記前身頃の腰回り弾性伸縮部材の配設領域内に固定され、かつ前記パッド固定用シートの後端部が前記後身頃の腰回り弾性伸縮部材の配設領域内に固定されるようにしてある。前記湾曲弾性伸縮部材は、吸収性パッドの装着部位の側部に身体に密着する伸縮ゾーンを形成するため、装着された吸収性パッドを位置ズレさせることなくきっちりと保持できるようになる。
【００１２】
請求項２に係る本発明として、前記吸収性パッドは前記パッド固定用シートに対して、吸収性パッドの裏面に塗工された粘着剤、又は前記吸収性パッド及びパッド固定用シートに夫々設けられた面ファスナーによって接合される請求項１記載のパンツ型使い捨ておむつカバーが提供される。
【００１３】
上記請求項２記載の本発明は、吸収性パッドをパッド固定用シートに対して接合する手段を規定したものである。具体的には、吸収性パッドの裏面に塗工された粘着剤、又は前記吸収性パッド及びパッド固定用シートに夫々設けられた面ファスナーによって接合することができる。
【００１４】
請求項３に係る本発明として、前記湾曲弾性伸縮部材は、互いに交差することなく間隔をおいて配置されている請求項１〜２いずれかに記載のパンツ型使い捨ておむつカバーが提供される。
【００１５】
上記請求項３記載の発明においては、湾曲弾性伸縮部材を互いに交差することなく間隔をおいて配置するようにしたものであり、弾性力が集中せずに均等バランスとなることによりおむつカバー全体を身体に密着させるようになる。
【００１６】
請求項４に係る本発明として、前記前身頃及び後身頃に配置された湾曲弾性伸縮部材は、股下側の横断部において、横断方向に沿って略直線状に、又は股下側に膨出する弧状曲線状に横断している請求項１〜３いずれかに記載のパンツ型使い捨ておむつカバーが提供される。
【００１７】
上記請求項４記載の発明においては、前記前身頃及び後身頃に配置された湾曲弾性伸縮部材を、股下側の横断部において、横断方向に沿って略直線状に、又は股下側に膨出する弧状曲線状に横断させるようにしたものであり、股下側を横断する湾曲弾性伸縮部材の押圧力によって吸収性パッドを身体側に密着させて保持することができる。
【００１８】
請求項５に係る本発明として、前記後身頃に配置された湾曲弾性伸縮部材は、股下側の横断部において、ウエスト開口部側に方向を反曲した後、略幅方向中央でウエスト開口部側に凸状となる軌跡を描いた後、再度反曲し、全体として略Ｗ字形状の軌跡で横断している請求項１〜４いずれかに記載のパンツ型使い捨ておむつカバーが提供される。
【００１９】
上記請求項５記載の発明においては、前記後身頃に配置された湾曲弾性伸縮部材を、股下側の横断部において、ウエスト開口部側に方向を反曲した後、略幅方向中央でウエスト開口部側に凸状となる軌跡を描いた後、再度反曲し、全体として略Ｗ字形状の軌跡で横断させるようにしたものであり、おむつカバーの中央に位置する凸状軌跡部分が臀部の窪みに沿うように変形し吸収性パッドを身体側に押し付けるようになるため、臀部の窪みとの間に隙間を生じさせない構造とすることができる。
【００２０】
請求項６に係る本発明として、前記湾曲弾性伸縮部材の始終端は、前身頃と後身頃とを接合する接合縁、ウエスト開口縁及びレッグ開口縁の内のいずれか又は組合せとされる請求項１〜５いずれかに記載のパンツ型使い捨ておむつカバーが提供される。
【発明の効果】
【００２１】
以上詳説のとおり本発明によれば、製品コストが廉価で済むとともに、吸収性パッドを装着し易く、かつ装着された吸収性パッドを位置ズレさせることなくきっちりと保持でき、さらにおむつカバーの穿き直しやトイレでの用足しの際に、吸収性パッドの係合が外れるのを防止することができる。
【発明を実施するための最良の形態】
【００２２】
以下、本発明の実施の形態について図面を参照しながら詳述する。
【００２３】
図１は本発明に係るパンツ型使い捨ておむつカバー２０に吸収性パッド１０を装着した状態を示す外観斜視図であり、図２はその展開状態を示す斜視図、図３はおむつカバー２０の平面展開図である。
【００２４】
図１及び図２に示されるように、本パンツ型使い捨ておむつカバー２０（以下、単におむつカバーという。）は、内面側に交換式の吸収性パッド１０を着脱自在としたものであり、２枚の不織布シート２０Ａ、２０Ｂの間に各種弾性伸縮部材が配置され、おむつ股下部で折り畳まれ前身頃Ｆと後身頃Ｂとが両側部において接合されることにより、ウエスト開口部３０及び左右一対のレッグ開口部２９，２９が形成された構造とされる。
【００２５】
以下、前記吸収性パッド１０、おむつカバー２０の順で説明する。
【００２６】
（吸収性パッド１０の構造）
先ず最初に、吸収性パッド１０の構造の一例について図５及び図６に基づいて詳述する。
【００２７】
吸収性パッド１０は、不織布などからなる透液性表面シート１１と、ポリエチレン等からなる防漏シート１２との間に、綿状パルプなどの吸収体１３を介在させた構造とされ、体液を吸収保持するものである。
【００２８】
前記吸収体１３は、図示例では平面形状を略方形状として成形されたものが使用され、その幅寸法は股間部への当たりによって着用者にゴワ付き感を与えない寸法幅となっている。この吸収体１３は、形状保持と透液性表面シート１１を透過した体液の拡散性向上のためにクレープ紙１４によって囲繞されている。なお、前記吸収体１３としては、嵩を小さくできるエアレイド吸収体を用いるのが望ましい。
【００２９】
前記吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。前記透液性表面シート１１は、吸収体１３の側縁部を巻き込んで吸収体１３の裏面側まで延在している。
【００３０】
前記吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００３１】
一方、立体ギャザーＢＳを形成するギャザー不織布１５は、図６に示されるように、折返しによって二重シートとした不織布が用いられ、前記透液性表面シート１１によって巻き込まれた吸収体１３の側縁部をさらにその上側から巻き込んで吸収体１３の裏面側まで延在して接着されている。より具体的には、前記ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００３２】
前記二重シート不織布によって形成されたギャザー不織布１５の内部には、起立先端側部分に複数本の糸状弾性伸縮部材１６、１６…が配設されている。前記糸状弾性伸縮部材１６、１６…は、製品状態において図６(B)に示されるように、弾性伸縮力により吸収体側縁部より突出する不織布部分を起立させて立体ギャザーＢＳを形成するためのものである。
【００３３】
前記防漏シート１２は、前記二重シート状のギャザー不織布１５の内部まで進入し、図６に示されるように、立体ギャザーＢＳの下端側において防漏壁を構成するようになっている。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３４】
前記糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５dtex以下、テンションは150〜350％、間隔は7.0mm以下として配設するのがよい。なお、糸状弾性伸縮部材に代えて、ある程度の幅を有するテープ状弾性伸縮部材を用いるようにしてもよい。
【００３５】
前述のギャザー不織布１５を構成する素材繊維も前記透液性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに前記ギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３６】
前記吸収性パッド１０の裏面側には、剥離可能な粘着剤層１７，１７…が塗工されており、後述するおむつカバー２０のパッド固定用シート３１に対して着脱可能に装着されるようになっている。
【００３７】
（おむつカバー２０の構造）
おむつカバー２０は、図２及び図３に示されるように、上層不織布２０Ａ及び下層不織布２０Ｂからなる２層構造の不織布シートとされ、前記上層不織布２０Ａと下層不織布２０Ｂとの間に各種弾性伸縮部材が配設され、伸縮性が付与されている。平面形状は、中間両側部に夫々脚部開口を形成するために形成された凹状の脚回りカットライン２９（レッグ開口部）により、全体として擬似砂時計形状を成している。
【００３８】
前記おむつカバー２０においては、前記吸収性パッド１０の装着部位に対応するおむつカバー領域に対して、少なくとも前端部と後端部とが接着剤３２，３２により剥離不能に前記吸収性パッド１０を装着するためのパッド固定用シート３１が設けられている。このパッド固定用シート３１としては、織物、不織布、プラスチックフィルム等の任意のシート材料を用いることができる。好ましくは通気性を有する材料を用いるのが望ましい。なお、前記パッド固定用シート３１の固定位置は、おむつカバー２０の伸縮性を阻害しないようにするとともに、身体動きに対する追従性を向上させるために、前端部と後端部の２箇所のみを固定するのが望ましいが、場合によっては中間部で固定してもよい。
【００３９】
前記パッド固定用シート３１は、吸収性パッドの装着性を改善するとともに、吸収性パッド１０の装着感、密着度、追従性などを改善する。すなわち、パッド固定用シート３１は、吸収性パッド１０をおむつカバー２０に装着する際の目印となって吸収性パッド１０を常に同じ位置に装着できるようになる。また、おむつカバー２０は各種の弾性伸縮部材によって多くの小皺が発生しているため接着し難いとともに、接着力が低減されるなどの問題があるが、別体のパッド固定用シート３１を設けることにより、接合面を平面とすることができ、前記吸収性パッド１０を確実にしっかりと貼着できるようになる。また、装着時におむつカバー２０が伸びても前記パッド固定用シート３１が中間に介在していることにより伸縮力が直接的に作用しないため、穿き直しや用足しの際でも接着が外れることがない。
【００４０】
さらに、装着した状態では、前記パッド固定用シート３１が中間に介在していることにより各種弾性伸縮部材２６…，２８…に対する拘束が無くなり、おむつカバー２０は身体形状や動きに伴って自由に伸縮できるようになるため、装着感が良好になるとともに、密着性や動きに対する追従性が良好となる。
【００４１】
さらに、吸収性パッド１０は交換の度に、接着と剥離とが繰り返されることになるが、仮にパッド固定用シート３１を有さずおむつカバー２０に直接貼着する場合には、不織布シート２０Ａの破れが懸念されるが、前記パッド固定シート３１に吸収性パッド１０を貼着する場合には、このような破損の問題を解消することができる。
【００４２】
一方、おむつカバー２０に配置される弾性伸縮部材としては、図３に示される展開形状において、前記ウエスト開口部回り２３に配置されたウエスト部弾性伸縮部材２４，２４…と、前身頃Ｆ及び後身頃Ｂに、上下方向に間隔をおいて水平方向に沿って配置された複数の腰回り弾性伸縮部材２５，２５…とを有するとともに、前身頃Ｆ及び後身頃Ｂのそれぞれにおいて、前記腰回り弾性伸縮部材２５，２５…とは別に、前身頃Ｆと後身頃Ｂとを接合する一方側接合縁から股下側に延び、股下側で前記吸収性パッド１０の配設部位を横断した後、股下側から前身頃と後身頃との他方側接合縁に到達する湾曲弾性伸縮部材２６…、２８…を備える。これら弾性伸縮部材の内、少なくとも前記ウエスト部弾性伸縮部材２４，２４…と湾曲弾性伸縮部材２６…、２８…は設けるようにするのが望ましい。
【００４３】
以下、前記各種弾性伸縮部材毎に詳述すると、
前記ウエスト部弾性伸縮部材２４，２４…は、前身頃Ｆと後身頃Ｂとが接合された脇部接合縁２１、２２の範囲の内、ウエスト開口縁近傍に上下方向に間隔をおいて配設された複数条の糸ゴム状弾性伸縮部材であり、身体のウエスト部回りを締め付けるように伸縮力を与えることにより紙おむつを身体に装着するためのものである。このウエスト部弾性伸縮部材２４は、図示例では糸ゴムを用いたが、例えばテープ状の伸縮部材を用いてもよい。
【００４４】
前記腰回り弾性伸縮部材２５，２５…は、脇部接合縁２１、２２の内、概ね上部から下部までの範囲に亘り、上下方向に間隔をおいて水平方向に沿って配設された糸ゴム状の弾性伸縮部材であり、前身頃Ｆ及び後身頃Ｂの腰回り部分に夫々水平方向の伸縮力を与え、紙おむつを身体に密着させるためのものである。なお、前記ウエスト部弾性伸縮部材２４、２４…と腰回り弾性伸縮部材２５、２５…との境界は必ずしも明確でなくてよい。例えば、前身頃Ｆ及び後身頃Ｂに上下方向に間隔をおいて水平方向に配置された弾性伸縮部材の内、数は特定できなくても、上部側の何本かがウエスト部弾性伸縮部材として機能し、残りの弾性伸縮部材が腰回り弾性伸縮部材として機能していればよい。
【００４５】
前記後身頃Ｂにおいて、前記腰回り弾性伸縮部材２５，２５…とは別に配設された背側湾曲弾性伸縮部材２６、２６…は、一方側の脇部接合縁２２からほぼ脚回りカットライン２９に沿うように股下部に延び、股下側で前記吸収性パッド１０の配設部位を横断した後、反対側の脚回りカットライン２９にほぼ沿いながら他方側の脇部接合縁２２に到達するように配置された複数本、図示例では９本の糸ゴム状弾性伸縮部材であり、これら背側湾曲弾性伸縮部材２６、２６…は互いに交差することなく、間隔をおいて配置されている。この背側湾曲弾性伸縮部材２６、２６…は、臀部に所定の伸縮ゾーンＫ、Ｋを形成するように所定の間隔を空けて、５本以上、好ましくは７本以上配置される。
【００４６】
前記背側湾曲弾性伸縮部材２６，２６…の始終端は、前身頃Ｆと後身頃Ｂとの接合縁のほぼ上部から下部の範囲に亘り所定の間隔で接続されている。前記前身頃Ｆと後身頃Ｂとの脇部接合縁２１，２２において、前記背側湾曲弾性伸縮部材２６、２６…の内、最もウエスト開口部寄りに位置する弾性伸縮部材２６ｉは、ウエスト部弾性伸縮部材２４，２４…の最下側弾性伸縮部材２４Ｏからの距離ＳＢが２０mm以内となるように配置されるのが望ましい。装着に際して着用者がウエスト部の脇を掴んで上方に引き上げた際、前記湾曲弾性伸縮部材２６、２６…の弾性力によって紙おむつの後身頃Ｂ側を上方に引上げ易くなり、穿き易さが向上するようになる。
【００４７】
また、前記背側湾曲弾性伸縮部材２６，２６…は、股下側の横断部において、横断方向に沿って略直線状に、又は図示例のように股下側に膨出する弧状曲線状に横断していることが望ましい。
【００４８】
本紙おむつでは、後身頃Ｂにおいて、臀部の膨らみ形状に対応しておむつカバー２０をフィットさせるために、臀部の膨らみに対し極力沿う方向に伸縮力を作用させるべく、相対的に緩い傾斜角度で弾性伸縮部材２６，２６…を配置するようにし、臀部を包み込むようにおむつカバー２０を身体に密着させるようにしている。
【００４９】
さらに、前記前身頃Ｆと後身頃Ｂとの脇部接合縁２１，２２における背側湾曲弾性伸縮部材２６，２６…の配置間隔、すなわち脇部側縁２１，２２の弾性伸縮部材の配置区間ＢＬにおける配置間隔は、股下部の弾性伸縮部材の配置区間ＭＢにおける前記背側湾曲弾性伸縮部材２６，２６…の配置間隔とほぼ同じとされ、かつ背側湾曲弾性伸縮部材２６，２６…の内、最も股下側に位置する弾性伸縮部材２６Ｏはおむつの股下部折り畳みラインＣＬからの距離ＢＨが±５０mm以内、好ましくは３５mm以内となる曲線形状を描くように配置されている。背側湾曲弾性伸縮部材２６，２６…の配置間隔を脇部接合縁２１，２２と股下部とで均等配置にすることにより、弾性力が集中せずに均等バランスでおむつカバー２０全体を身体に密着させるようになるとともに、前記背側湾曲弾性伸縮部材２６，２６…が描くラインが股下部近傍領域を横断する大波の曲線形状で配置することにより、おむつカバー２０を身体に対してきっちりと密着保持し得るようになる。
【００５０】
前記後身頃Ｂ側に配置された背側湾曲弾性伸縮部材２６，２６…は、股下部において、おむつの股下部折り畳みラインＣＬを基準に前身頃Ｆ側に偏倚していることが望ましい。股下部において、背側湾曲弾性伸縮部材２６，２６…をおむつの股下部折り畳みラインＣＬを基準に前身頃Ｆ側に偏倚させることにより、臀部側で生じるおむつのずり落ちを無くすとともに、おむつカバー２０の弛みを無くして身体にフィットさせることができる。
【００５１】
他方、前記おむつカバー２０の前身頃において、前記腰回り弾性伸縮部材２５，２５…とは別に配設された腹側湾曲弾性伸縮部材２８，２８…も、一方側の脇部接合縁２１から股下側に延び、股下側で前記吸収性パッドの配設部位を横断した後、他方側の脇部接合縁２１に到達するとともに、交差することなく間隔をおいて配置された複数本の、図示例では９本の糸状弾性伸縮部材であり、これら腹側湾曲弾性伸縮部材２８，２８…は、互いに交差することなく、間隔をおいて配置されている。これら腹側湾曲弾性伸縮部材２８、２８…も、鼠蹊部に所定の伸縮ゾーンＫ、Ｋを形成するように所定の間隔を空けて、５本以上、好ましくは７本以上配置される。
【００５２】
この腹側弾性伸縮部材２８，２８…の始終端も、前身頃Ｆと後身頃Ｂとの脇部接合縁２１，２１のほぼ上部から下部の範囲に亘り、所定の間隔で接続されている。前記前身頃Ｆと後身頃Ｂとの脇部接合縁２１，２２において、前記腹側湾曲弾性伸縮部材２８，２８…の内、最もウエスト開口部寄りに位置する弾性伸縮部材２８ｉは、ウエスト部弾性伸縮部材の最下側弾性伸縮部材２４Ｏからの距離ＳＦが２０mm以内となるように配置されるのが望ましい。装着に際して着用者がウエスト部の脇をもって上方に引き上げた際、前記腹側湾曲弾性伸縮部材２８、２８…の弾性力によって紙おむつの前身頃Ｆ側を上方に引上げ易くなり、穿き易さが向上するようになる。
【００５３】
この腹側湾曲弾性伸縮部材２８，２８…についても、股下側の横断部において、横断方向に沿って略直線状に、又は図示例のように股下側に膨出する弧状曲線状に横断していることが望ましい。
【００５４】
本紙おむつ１においては、身体の前側部分には身体の後側臀部のような引掛かりとなる膨らみがないため、紙おむつのずり落ちは主として前身頃側Ｆで顕著に発生する傾向にあるとの知見に鑑み、相対的にきつい傾斜角度で弾性伸縮部材２８，２８…を配置するようにし、紙おむつのずり落ちを効果的に防止するようにしている。
【００５５】
さらに、前記前身頃Ｆと後身頃Ｂとの脇部接合縁２１，２２における腹側湾曲弾性伸縮部材２８，２８…の配置間隔、すなわち脇部側縁２１，２２の弾性伸縮部材の配置区間ＦＬにおける配置間隔は、股下部の弾性伸縮部材の配置区間ＭＦにおける前記腹側湾曲弾性伸縮部材２８，２８…の配置間隔とほぼ同じとされ、かつ腹側湾曲弾性伸縮部材２８，２８…の内、最も股下側に位置する弾性伸縮部材２８Ｏはおむつの股下部折り畳みラインＣＬからの距離ＦＨが±５０mm以内、好ましくは３５mm以内となる曲線形状を描くように配置されている。腹側湾曲弾性伸縮部材２８，２８…の配置間隔を脇部接合縁２１，２２と股下部とで均等配置にすることにより、弾性力が集中せずに均等バランスでおむつカバー２０を身体に密着させるようになるとともに、前記腹側湾曲弾性伸縮部材２８，２８…が描くラインが股下部近傍領域を横断する大波の曲線形状で配置することにより、おむつカバー２０を身体に対してきっちりと密着保持し得るようになる。
【００５６】
前記前身頃側Ｆに配置された腹側湾曲弾性伸縮部材２８，２８…の内の最股下側弾性伸縮部材２８Ｏと、前記後身頃側Ｂに配置された背側湾曲弾性伸縮部材２６，２６…の内の最股下側弾性伸縮部材２６Ｏとは、股下部において互いに交差することなく近接していることが望ましい。近接幅（ＦＨ−ＢＨ）は、１０〜２０mmとするのが望ましい。股下部において、前記湾曲弾性伸縮部材２８…、２６…によって吸収性パッド１０を均等の圧力で身体側に押付け密着させるため、身体との隙間が封鎖され、高い漏れ防止効果が発揮されるようになる。
【００５７】
〔その他の形態例〕
(1)上記形態例では、吸収性パッド１０の裏面側に粘着剤層１７を塗工し、パッド固定用シート３１に接着するようにしたが、前記吸収性パッド１０の裏面側に雄又は雌型の面ファスナーを設けるとともに、前記パッド固定用シート３１の上面に雌又は雄型の面ファスナーを設けておき、吸収性パッド１０をパッド固定用シート３１に接合するようにしてもよい。また、前記吸収性パッド１０の側縁から外方に延在するフラップを設けるとともに、このフラップの裏面側に粘着層を形成しておき、丁度、周知のウイング付ナプキンのように、吸収性パッド１０をパッド固定用シート３１の上面に接合した後、前記フラップをパッド固定用シート３１の裏面側に回り込ませて接着するようにしてもよい。
【００５８】
(2)上記形態例では、パッド固定用シート３１の幅寸法をおむつカバー２０の股下部の幅寸法よりも小さくしたが、図７に示されるように、パッド固定用シート３１’の幅寸法をおむつカバー２０の股下部の幅寸法よりも大きくしてもよい。
【００５９】
(3)上記形態例では、背側湾曲弾性伸縮部材２６…を、股下側の横断部において、横断方向に沿って略直線状に、又は股下側に膨出する弧状曲線状に横断させたが、図８に示されるように、ウエスト開口部３０側に方向を反曲した後、ウエスト開口部３０側に凸状となる軌跡を描いた後、再度反曲し、全体として略Ｗ字形状の軌跡で横断するようにしてもよい。この場合、おむつカバー２０の中央に位置する凸状軌跡部分Ｊの両側に存在する凹状軌跡部分（股下側への凸状軌跡部分）Ｈ、Ｈは臀部に夫々対応させるのが望ましい。上記略Ｗ字状の軌跡で横断させることにより、おむつカバー２０の中央に位置する凸状軌跡部分Ｊが臀部の窪みに沿うように変形し吸収性パッド１０を身体側に押し付けるようになるため、臀部の窪みとの間に隙間を生じさせない構造とすることができる。
【００６０】
(4)上記形態例では、湾曲弾性伸縮部材２６…、２８…の始終端を、脇部接合縁２１，２２としたが、該前身頃と後身頃とを接合する接合縁の他、ウエスト開口縁又はレッグ開口縁を始終端とすることでもよい。本発明における「脇部」とは、前身頃と後身頃とを接合する接合縁、ウエスト開口縁の側部（図７参照）、レッグ開口縁の側部を含む概念であり、湾曲弾性伸縮部材２６…、２８…は、これらの脇部から股下側へ向かう軌跡部分、股下側で前記吸収性パッドの配設部位を横断する軌跡部分及び股下側から脇部に延びる軌跡部分を有する軌跡を描いて配設されていればよい。
【００６１】
(5)上記形態例では、前記前身頃側Ｆに配置された腹側湾曲弾性伸縮部材２８，２８…の内の最股下側弾性伸縮部材２８Ｏと、前記後身頃側Ｂに配置された背側湾曲弾性伸縮部材２６，２６…の内の最股下側弾性伸縮部材２６Ｏとが、股下部において互いに交差することなく近接させるようにしたが、前記腹側湾曲弾性伸縮部材２８，２８…の一部と、前記背側湾曲弾性伸縮部材２６，２６…の一部とが交差していてもよい。
【図面の簡単な説明】
【００６２】
【図１】本発明に係るパンツ型使い捨ておむつカバー２０に吸収性パッド１０を装着した状態を示す外観斜視図図である。
【図２】その展開状態を示す斜視図である。
【図３】おむつカバー２０の平面展開図である。
【図４】おむつカバー２０の縦断面図である。
【図５】吸収性パッド１０の平面図である。
【図６】(A)は吸収性パッド１０の展開状態での半横断面図、(B)はその製品状態（装着状態）を示す半横断面図である。
【図７】湾曲弾性伸縮部材２６…、２８…の配置態様の変形例及びパッド固定用シート３１の変形例を示すおむつカバー２０の展開平面図である。
【図８】背側弾性伸縮部材２６の他の配置態様を示すおむつカバー２０の展開平面図である。
【符号の説明】
【００６３】
１０…吸収性パッド、１１…透液性表面シート、１２…防漏シート、１３…吸収体、１４…クレープ紙、１５…ギャザー不織布、１６…糸状弾性伸縮部材、２０…おむつカバー、２１・２２…脇部接合縁、２４…ウエスト部弾性伸縮部材、２５…腰回り弾性伸縮部材、２６…背側湾曲弾性伸縮部材、２８…腹側湾曲弾性伸縮部材、２９…脚回りカットライン（レッグ開口部）、３０…ウエスト開口部、３１…パッド固定用シート、Ｆ…前身頃、Ｂ…後身頃
【図１】
0004401351.tif 000002
【図２】
0004401351.tif 000003
【図３】
0004401351.tif 000004
【図４】
0004401351.tif 000005
【図５】
0004401351.tif 000006
【図６】
0004401351.tif 000007
【図７】
0004401351.tif 000008
【図８】
0004401351.tif 000009